(57)【要約】【課題】  複数の医用画像形成装置が同一の大きさで医用画像をシート状記録媒体上に画像形成できる医用画像出力システム等を実現すること。【解決手段】  変換装置ＧのＣＰＵは、フィルム出力装置Ｆ１，Ｆ２及びＦ３それぞれの最大出力サイズを通信ネットワークＮを介して取得する。そして、各フィルム出力装置の最大出力サイズの縦辺及び横辺の中から最小の縦辺及び横辺を選択して、画像出力サイズとして決定する。ＣＰＵは、医用画像データを拡大又は縮小し、画像データに変換した患者情報と共に画像出力サイズに応じた大きさのテンプレートデータ内に埋め込む。次いで、コントローラＣの操作により指定された画像送信先のフィルム出力装置Ｆ１，Ｆ２及びＦ３の何れかにテンプレートデータを転送する。フィルム出力装置は、変換装置Ｇから転送されたテンプレートデータに基づく画像をフィルム上に画像形成して出力する。【選択図】図１
2006187419.tif 000002
【特許請求の範囲】
【請求項１】
受信した医用画像データを転送する医用画像転送装置と、前記転送された医用画像データに基づく医用画像を画像形成可能領域内に画像形成したシート状記録媒体を出力する複数の医用画像形成装置とを具備する医用画像出力システムであって、
前記医用画像形成装置は、
前記画像形成可能領域を表す画像形成可能領域情報を記憶する記憶手段を備え、
前記医用画像転送装置は、
前記複数の医用画像形成装置それぞれの前記記憶手段により記憶されている画像形成可能領域情報を取得する取得手段と、
前記取得手段により取得された画像形成可能領域情報を元に画像形成サイズを決定する決定手段と、
前記決定手段により決定された画像形成サイズに合わせて前記受信した医用画像データを拡大又は縮小する拡大又は縮小手段と、
前記拡大又は縮小手段により拡大又は縮小された医用画像データを前記医用画像形成装置に転送する転送手段と、
を備えることを特徴とする医用画像出力システム。
【請求項２】
受信した医用画像データを転送する医用画像転送装置と、前記転送された医用画像データに基づく医用画像を画像形成可能領域内に画像形成したシート状記録媒体を出力する複数の医用画像形成装置を複数具備する医用画像出力システムであって、
前記医用画像形成装置は、
前記画像形成可能領域を表す画像形成可能領域情報を記憶する記憶手段を備え、
前記医用画像転送装置は、
前記複数の医用画像形成装置それぞれの前記記憶手段により記憶されている画像形成可能領域情報を取得する取得手段と、
前記取得手段により取得された画像形成可能領域情報を元に画像形成サイズを決定する決定手段と、
前記決定手段により決定された画像形成サイズを前記医用画像形成装置に送信する送信手段と、を備え、
前記医用画像形成装置は、
前記送信手段により送信された画像形成サイズを受信する受信手段と、
前記受信手段により受信された画像形成サイズに合わせて前記転送された医用画像データを拡大又は縮小する拡大又は縮小手段と、
前記拡大又は縮小手段により拡大又は縮小された医用画像データを前記シート状記録媒体上に画像形成する画像形成手段と、を備えることを特徴とする医用画像出力システム。
【請求項３】
前記決定手段は、
前記取得手段により取得された画像形成可能領域情報を元に、前記複数の医用画像形成装置全ての画像形成可能領域内に収まる画像形成サイズを決定することを特徴とする請求項１又は２に記載の医用画像出力システム。
【請求項４】
前記画像形成可能領域情報は、前記画像形成可能領域の縦辺及び横辺の長さを含み、
前記画像形成サイズ決定手段は、
前記取得手段により取得された前記複数の医用画像形成装置それぞれの画像形成可能領域情報中から、最小の縦辺及び横辺の長さを選択して画像出力サイズとして決定することを特徴とする請求項３に記載の医用画像出力システム。
【請求項５】
前記医用画像データは、被写体を撮影した撮影画像と、患者情報とを含むことを特徴とする請求項１〜４の何れか一項に記載の医用画像出力システム。
【請求項６】
医用画像データを受信して、複数の医用画像形成装置へ転送する医用画像転送装置であって、
前記複数の医用画像形成装置それぞれから画像形成可能領域情報を取得する取得手段と、
前記取得手段により取得された画像形成可能領域情報を元に画像形成サイズを決定する決定手段と、
前記決定手段により決定された画像形成サイズに合わせて前記受信した医用画像データを拡大又は縮小する拡大又は縮小手段と、
前記拡大又は縮小手段により拡大又は縮小された医用画像データを前記医用画像形成装置へ転送する転送手段と、
を備えることを特徴とする医用画像転送装置。
【請求項７】
コンピュータに、医用画像データを受信して、複数の医用画像形成装置へ転送する機能を実現させるプログラムであって、
前記複数の医用画像形成装置それぞれから画像形成可能領域情報を取得する取得機能と、
前記取得機能により取得された画像形成可能領域情報を元に画像形成サイズを決定する決定機能と、
前記決定機能により決定された画像形成サイズに合わせて前記受信された医用画像データを拡大又は縮小する拡大又は縮小機能と、
前記拡大又は縮小機能により拡大又は縮小された医用画像データを前記医用画像形成装置へ転送する転送機能と、
を前記コンピュータに実現させるためのプログラム。
【発明の詳細な説明】
【技術分野】
【０００１】
本発明は、受信した医用画像データを転送する医用画像転送装置と、前記転送された医用画像データに基づく医用画像を画像形成可能領域内に画像形成したシート状記録媒体を出力する複数の医用画像形成装置とを具備する医用画像出力システム等に関する。
【背景技術】
【０００２】
従来から、ＣＴ（Computed Tomography）やＣＲ（Computed Radiography）、ＭＲＩ（Magnetic Resonance Imaging）、乳房撮影装置、超音波診断装置等といった様々な医用画像生成装置（以下、「診断装置」という。）によって撮影・生成された医用画像を、フィルムや記録紙等のシート状記録媒体上に画像形成（描画）して出力する医用画像出力システムが知られている。
【０００３】
医用画像出力システムは、診断装置と、当該診断装置によって生成された医用画像のデータ（以下、「医用画像データ」という。）をＤＩＣＯＭ（Digital Imaging and Communications in Medicine）規格のデータに変換して転送する医用画像転送装置（以下、「変換装置」という。）と、この転送された医用画像データのハードコピーを作成する医用画像形成装置（以下、「出力装置」という。）とを備えて構成される。
【０００４】
図１４は、診断装置が撮影・生成した医用画像の一例である。同図に示すように、医用画像ＦＧ１００中には、人体を撮影した撮影画像ＦＧ１０２の他に、患者情報ＦＧ１０４が含まれている。診断装置は、ユーザにより入力された患者のＩＤ番号や氏名等の患者情報と、撮影画像とを合成して医用画像を生成する。
【０００５】
図１５（ａ）は、出力装置の一種であるフィルム出力装置によって医用画像が画像形成されたフィルムの一例である。同図に示すように、フィルムＦＬ１００上には、診断装置によって撮影・生成された医用画像ＦＧ１００と、当該医用画像に含まれた患者情報ＦＧ１００とがフォーマットされて描画されている。
【０００６】
この患者情報に関する技術として、予め指定された位置及び大きさでフィルム上に画像形成することで、複数のフィルムを重ね合わせて透過した際に、他の患者のフィルムの混入を容易に視認することのできる方法が知られている（特許文献１参照）。
【特許文献１】特開２００４−２２６７０２号公報
【発明の開示】
【発明が解決しようとする課題】
【０００７】
ところで、出力装置が、シート状記録媒体上に画像形成可能な領域（この領域を以下、「画像形成可能領域」という。）は、その出力装置のバージョンやシリーズ等によって異なる。例えば、ある出力装置が画像形成したフィルムＦＬ１００では、図１４（ａ）のように画像形成可能領域ＡＲ１００内に医用画像ＦＧ１００及び患者情報ＦＧ１００が描画される。一方、他の出力装置は、同図（ｂ）のフィルムＦＬ２００の画像形成可能領域ＡＲ２００内に画像形成したり、同図（ｃ）のフィルムＦＬ３００の画像形成可能領域ＡＲ３００内に画像形成したりする。
【０００８】
このように、出力装置は、それぞれ異なる画像形成可能領域に合わせて医用画像を拡大又は縮小する。このため、記録媒体上に画像形成された医用画像の大きさは出力装置によって異なる場合がある。従って、例えば、医師が複数の出力装置からそれぞれ出力された記録媒体を用いて診断する際、記録媒体毎の医用画像の個々の大きさの差異から診断ミスを引き起こしかねなかった。
【０００９】
また、患者情報も医用画像同様に出力装置毎の画像形成可能領域に合わせて拡大又は縮小される。このため、出力装置によってその文字の大きさが異なる場合がある。従って、特許文献１のように記録媒体を重ね合わせたとしても、記録媒体毎にその文字がずれてしまい、他の患者のフィルムの混入を確認することが困難であった。
【００１０】
本発明は、上述した課題に鑑みて為されたものであり、その目的とするところは、複数の医用画像形成装置が同一の大きさで医用画像をシート状記録媒体上に画像形成できる医用画像出力システム等を実現することである。
【課題を解決するための手段】
【００１１】
以上の課題を解決するために、請求項１に記載の発明は、
受信した医用画像データを転送する医用画像転送装置と、前記転送された医用画像データに基づく医用画像を画像形成可能領域内に画像形成したシート状記録媒体を出力する複数の医用画像形成装置とを具備する医用画像出力システムであって、
前記医用画像形成装置は、
前記画像形成可能領域を表す画像形成可能領域情報を記憶する記憶手段を備え、
前記医用画像転送装置は、
前記複数の医用画像形成装置それぞれの前記記憶手段により記憶されている画像形成可能領域情報を取得する取得手段と、
前記取得手段により取得された画像形成可能領域情報を元に画像形成サイズを決定する決定手段と、
前記決定手段により決定された画像形成サイズに合わせて前記受信した医用画像データを拡大又は縮小する拡大又は縮小手段と、
前記拡大又は縮小手段により拡大又は縮小された医用画像データを前記医用画像形成装置に転送する転送手段と、
を備えることを特徴としている。
【００１２】
請求項２に記載の発明は、
受信した医用画像データを転送する医用画像転送装置と、前記転送された医用画像データに基づく医用画像を画像形成可能領域内に画像形成したシート状記録媒体を出力する複数の医用画像形成装置を複数具備する医用画像出力システムであって、
前記医用画像形成装置は、
前記画像形成可能領域を表す画像形成可能領域情報を記憶する記憶手段を備え、
前記医用画像転送装置は、
前記複数の医用画像形成装置それぞれの前記記憶手段により記憶されている画像形成可能領域情報を取得する取得手段と、
前記取得手段により取得された画像形成可能領域情報を元に画像形成サイズを決定する決定手段と、
前記決定手段により決定された画像形成サイズを前記医用画像形成装置に送信する送信手段と、を備え、
前記医用画像形成装置は、
前記送信手段により送信された画像形成サイズを受信する受信手段と、
前記受信手段により受信された画像形成サイズに合わせて前記転送された医用画像データを拡大又は縮小する拡大又は縮小手段と、
前記拡大又は縮小手段により拡大又は縮小された医用画像データを前記シート状記録媒体上に画像形成する画像形成手段と、を備えることを特徴としている。
【００１３】
請求項３に記載の発明は、請求項１又は２に記載の医用画像出力システムであって、
前記決定手段は、
前記取得手段により取得された画像形成可能領域情報を元に、前記複数の医用画像形成装置全ての画像形成可能領域内に収まる画像形成サイズを決定することを特徴としている。
【００１４】
請求項４に記載の発明は、請求項３に記載の医用画像出力システムであって、
前記画像形成可能領域情報は、前記画像形成可能領域の縦辺及び横辺の長さを含み、
前記画像形成サイズ決定手段は、
前記取得手段により取得された前記複数の医用画像形成装置それぞれの画像形成可能領域情報中から、最小の縦辺及び横辺の長さを選択して画像出力サイズとして決定することを特徴としている。
【００１５】
請求項５に記載の発明は、請求項１〜４の何れか一項に記載の医用画像出力システムであって、
前記医用画像データは、被写体を撮影した撮影画像と、患者情報とを含むことを特徴としている。
【００１６】
請求項６に記載の発明は、
医用画像データを受信して、複数の医用画像形成装置へ転送する医用画像転送装置であって、
前記複数の医用画像形成装置それぞれから画像形成可能領域情報を取得する取得手段と、
前記取得手段により取得された画像形成可能領域情報を元に画像形成サイズを決定する決定手段と、
前記決定手段により決定された画像形成サイズに合わせて前記受信した医用画像データを拡大又は縮小する拡大又は縮小手段と、
前記拡大又は縮小手段により拡大又は縮小された医用画像データを前記医用画像形成装置に転送する転送手段と、
を備えることを特徴している。
【００１７】
請求項７に記載の発明は、
コンピュータに、医用画像データを受信して、複数の医用画像形成装置へ転送する機能を実現させるプログラムであって、
前記複数の医用画像形成装置それぞれから画像形成可能領域情報を取得する取得機能と、
前記取得機能により取得された画像形成可能領域情報を元に画像形成サイズを決定する決定機能と、
前記決定機能により決定された画像形成サイズに合わせて前記受信された医用画像データを拡大又は縮小する拡大又は縮小機能と、
前記拡大又は縮小機能により拡大又は縮小された医用画像データを前記医用画像形成装置に転送する転送機能と、
を前記コンピュータに実現させることを特徴としている。
【発明の効果】
【００１８】
請求項１、６及び７に記載の発明によれば、複数の医用画像形成装置それぞれから画像形成可能領域情報を取得し、その取得した画像形成可能領域情報を元に決定した画像形成サイズに合わせて医用画像データを拡大又は縮小した後に、当該医用画像データを医用画像形成装置に転送する。このため、医用画像形成装置がシート状記録媒体上に画像形成する医用画像の大きさは、画像形成サイズに応じた大きさになる。従って、複数の医用画像形成装置毎に画像形成可能領域が異なるとしても、画像形成サイズに応じた同一の大きさの医用画像をシート状記録媒体上に画像形成して出力することができる。
【００１９】
請求項２に記載の発明によれば、医用画像転送装置は、複数の医用画像形成装置それぞれから画像形成可能領域情報を取得し、その取得した画像形成可能領域情報を元に画像形成サイズを決定する。一方、医用画像形成装置は、医用画像転送装置から送信された画像形成サイズに合わせて医用画像データを拡大又は縮小した後に、当該医用画像データに基づく医用画像を画像形成する。このため、医用画像形成装置がシート状記録媒体上に画像形成する医用画像の大きさは、画像形成サイズに応じた大きさになる。従って、複数の医用画像形成装置毎に画像形成可能領域が異なるとしても、画像形成サイズに応じた同一の大きさの医用画像をシート状記録媒体上に画像形成して出力することができる。
【００２０】
また、医用画像形成装置が医用画像データを拡大して画像形成する場合、医用画像転送装置が医用画像形成装置に転送する医用画像データは、その拡大前のデータである。このため、医用画像転送装置と医用画像形成装置間のデータの通信容量を削減することができる。
【００２１】
請求項３に記載の発明によれば、請求項１又は２に記載の発明と同様の効果が得られるのは無論のこと、画像形成サイズを、複数の医用画像形成装置全ての画像形成可能領域内に収まるように決定する。このため、医用画像形成装置が画像形成する医用画像は、各医用画像形成装置の画像形成可能領域内に確実に画像形成される。
【００２２】
請求項４に記載の発明によれば、請求項３に記載の発明と同様の効果が得られるのは無論のこと、画像形成可能領域情報の縦辺及び横辺の中の最小の縦辺及び横辺を選択し、画像出力サイズとして決定する。
【００２３】
請求項５に記載の発明によれば、請求項１〜４の何れか一項に記載の発明と同様の効果が得られるのは無論のこと、医用画像データは、被写体を撮影した撮影画像と患者情報とを含む。これにより、複数の医用画像形成装置が出力したシート状記録媒体上には撮影画像及び患者情報が描画されるため、複数のシート状記録媒体を重ねて透過した際に、撮影画像及び患者情報それぞれは同一の大きさでありズレを生じない。従って、例えば、異なる医用画像形成装置から出力された複数のシート状記録媒体の中に他の患者のシート状記録媒体が混入しているか否かを、当該シート状記録媒体を重ね合わせることで容易に確認することができる。
【発明を実施するための最良の形態】
【００２４】
〔第１実施形態〕
先ず、本発明の医用画像転送装置を変換装置及びコントローラで構成し、医用画像形成装置をフィルム出力装置に適用した場合の医用画像出力システムの第１実施形態について、図１〜図９を参照して詳細に説明する。
【００２５】
〔システム構成〕
図１は、医用画像出力システム１００のシステム構成の一例を示す図である。同図によれば、医用画像出力システム１００は、診断装置Ｍから出力される医用画像をコントローラＣの指示に従って転送する変換装置Ｇと、フィルム出力装置Ｆ１，Ｆ２及びＦ３とが所定の通信ネットワークＮを介して接続されて構成されている。
【００２６】
ユーザは、診断装置Ｍで撮影・生成された医用画像のデータ（以下、「医用画像データ」という。）をフィルム出力するか否かをコントローラＣを用いて決定する。コントローラＣには、フィルム１ページ毎のイメージ画像を表示部に表示出力させる。
【００２７】
ユーザがコントローラＣの操作によって、医用画像のコマの配置方法を設定して確定すると共に、フィルムを出力させるフィルム出力装置を指定すると、変換装置Ｇは、医用画像データをフォーマットして、その指定されたフィルム出力装置に通信ネットワークを介して転送する。フィルム出力装置Ｆ１，Ｆ２及びＦ３は、変換装置Ｇから送信される医用画像データに基づいた画像をフィルム上に画像形成して出力する。
【００２８】
〔診断装置の構成〕
診断装置Ｍは、被写体を撮影して医用画像データ（アナログ又はデジタルのビデオ信号）を生成する医用画像生成装置である。診断装置Ｍは、制御部、撮影部、表示部、入力部及びＩ／Ｆ部等を備えて構成される。制御部は、撮影部により撮影された撮影画像と、入力部から入力されたＩＤ番号や氏名、性別、年齢等の患者情報を合成して医用画像データを生成し、当該医用画像データを変換装置Ｇに送信する。
【００２９】
診断装置Ｍとしては、Ｘ線を照射して撮影を行うと共に、当該撮影により輝尽性蛍光体プレートに記憶されたＸ線画像を読み取り、デジタルデータとして生成するＣＲやＣＴ、また、Ｘ線に限らずＭＲＩや超音波撮影装置等が適宜適用可能である。
【００３０】
〔フィルム出力装置の構成〕
フィルム出力装置Ｆ１は、変換装置Ｇから転送されたＤＩＣＯＭ規格に準拠したデータに基づいた画像をフィルム上に画像形成して出力する医用画像形成装置であり、制御部、画像メモリ、露光部、現像部、通信部、排出部等を備えて構成される。シート状記録媒体であるフィルムは、ＰＥＴ（ポリエチレンテレフタレート）等の支持体上に、感光性及び感熱性の感光材料を含有する乳剤が塗布されて、感光層が形成されたものである。
【００３１】
このフィルムは、制御部の制御に従って搬送部によって各構成部へ搬送される。露光部は、フィルム上にレーザ光を照射して露光を行い、変換装置Ｇから転送されたデータに基づく画像の潜像を形成し、現像部は、露光後のフィルムを加熱して露光により形成された潜像を可視化（現像）する。そして、現像されて排出されたフィルムが排出部から排出される。尚、医用画像形成装置をフィルム出力装置に適用することとしたが、例えば、レーザープリンタやインクジェットプリンタ等、種々の画像形成装置に適用することとしてよい。尚、フィルム出力装置Ｆ２及びＦ３の基本構成は、上述したフィルム出力装置Ｆ１と同様であるため、その説明は省略する。
【００３２】
フィルム出力装置Ｆ１の制御部は、ＣＰＵや記憶手段である記憶部５０等を有して構成され、図２は、記憶部５０のデータ構成の一例を示す図である。同図によれば、記憶部５０は、最大出力サイズ５２と、１ピクセルサイズ５４と、受信画像出力サイズ５６とを記憶している。
【００３３】
最大出力サイズ５２は、フィルム出力装置Ｆ１が、フィルム上に画像形成可能な最大領域（画像形成可能領域）の大きさを表す情報、即ち、画像形成可能領域情報であり、縦辺５２ａ及び横辺５２ｂのピクセル数で示される。１ピクセルサイズ５４は、フィルム出力装置Ｆ１が画像形成する際の１ドットの大きさである
【００３４】
この最大出力サイズ５２及び１ピクセルサイズ５４は、フィルム出力装置Ｆ１，Ｆ２及びＦ３それぞれが固有に設定された初期情報であり、例えば、バージョンや製品のシリーズ等により異なるものである。
【００３５】
受信画像出力サイズ５６は、変換装置Ｇから送信された画像出力サイズ１３４である。ＤＩＣＯＭ規格には、画像形成する画像の１辺又は２辺のサイズ（ｍｍ）が指定されると、その指定されたサイズに当該画像を拡大又は縮小して画像形成する機能が既存している。フィルム出力装置Ｆは、受信したテンプレートデータに基づく画像を受信画像出力サイズ５６に合わせて拡大又は縮小して画像形成する。
【００３６】
図３は、フィルム出力装置Ｆ１，Ｆ２及びＦ３それぞれの画像形成可能領域を表す図である。尚、同図に示すフィルムＦＬ１〜ＦＬ３それぞれの大きさは同一であることとする。
【００３７】
フィルム出力装置Ｆ１は、図３（ａ）のフィルムＦＬ１の画像形成可能領域ＡＲ１内に、フィルム出力装置Ｆ２は、同図（ｂ）の画像形成可能領域ＡＲ２内に、フィルム出力装置Ｆ３は、同図（ｃ）の画像形成可能領域ＡＲ３内にそれぞれ画像形成する。このように、フィルム出力装置によって画像形成可能領域は異なる。
【００３８】
〔コントローラの構成〕
コントローラＣは、医用画像のコマの配置設定や、医用画像を出力させるフィルム出力装置の指定等を行う、謂わば、変換装置Ｇのユーザインターフェイスに相当する機能部であり、ＣＰＵ、記憶装置、表示部、入力部及びＩ／Ｆ部等を備えて構成される。
【００３９】
コントローラＣのＣＰＵは、表示部に所定の入力フォームを表示させ、ユーザの入力部の操作に従ってフォーマット情報をＲＡＭに設定する。フォーマット情報は、医用画像のコマを１枚のフィルム上にどのように配置するかという医用画像の配置方法や、患者情報のフォント及び文字サイズを等の設定情報である。
【００４０】
フォーマット情報の入力フォームは、例えば、“２×２”や“３×３”といった“横コマ数×縦コマ数”の数値形式で医用画像の配置方法を入力させるものであってもよいし、医用画像を表す所定のアイコンの移動によってその配置をグラフィカルに入力させるものであってもよい。
【００４１】
そして、ＣＰＵは、フォーマット情報の設定後、フィルム出力装置の選択画面を表示部に表示させ、ユーザに医用画像の画像送信先を指定させる。画像送信先は、変換装置Ｇが、医用画像データを送信して画像形成させるフィルム出力装置Ｆ１，Ｆ２及びＦ３の何れかを表す識別子である。ＣＰＵは、これらの設定・指定されたフォーマット情報及び画像送信先を、変換装置Ｇへ送信する。尚、フォーマット情報や画像出力先は、コントローラＣで設定されることとしたが、例えば、診断装置Ｍで設定可能としてもよい。
【００４２】
〔変換装置の構成〕
変換装置Ｇは、診断装置Ｍから出力される医用画像データを１データずつ読み込んで、その医用画像データをＤＩＣＯＭ規格に則ってデータ変換して蓄積した後に、変換装置Ｇによって指定されたフィルム出力装置へ転送する。
【００４３】
図４は、変換装置Ｇの機能構成の一例を示すブロック図である。同図によれば、変換装置Ｇは、制御部１、記憶装置３、入力Ｉ／Ｆ部５及び電源部７がバス９に接続されて構成される。
【００４４】
記憶装置３は、光学的、磁気的にデータの読み書きを行う記憶媒体を備えた機能部であり、例えば、ＨＤＤ（Hard Disk Drive）等により構成される。
【００４５】
入力Ｉ／Ｆ部５は、診断装置Ｍから送信された医用画像データを受信する機能部であり、例えば、ＲＳ２３２Ｃ等のシリアルインターフェイスや、セントロニクスなどのパラレルインターフェイス、ＵＳＢ等により構成さる。電源部７は、変換装置Ｇの各部に電力を供給する。
【００４６】
制御部１は、変換装置Ｇにおけるデータ処理やデータ通信等の統括的な管理・制御を行い、ＣＰＵ１１、メモリ１３、通信装置１５、ＩＤＥ１７及びシリアルインターフェイス１９を有して構成される。
【００４７】
ＣＰＵ１１は、記憶装置３に格納されたプログラムを読み出し、当該プログラムに従った処理を実行する。より具体的には、コントローラＣから送信されたフォーマット情報及び画像送信先をシリアルインターフェイス１９を介して受信し、また、記憶装置３に記憶された医用画像データをＩＤＥ１５を介して取得する。次いで、これらのデータを用いてテンプレートデータを作成した後に、通信装置１５を介してフィルム出力装置へ転送する。
【００４８】
メモリ１３は、ＣＰＵ１１が実行する各種プログラムや、これらプログラムの実行に係るデータ等を一時的に保持する記憶領域である。
【００４９】
図５（ａ）は、記憶装置３のデータ構成の一例を示す図である。同図（ａ）によれば、記憶装置３は、第１医用画像転送プログラム３０と、医用画像テーブル３２とを記憶している。
【００５０】
医用画像転送プログラム３０は、第１実施形態に係る第１医用画像転送処理（図７参照）を実現するためのプログラムである。医用画像テーブル３２は、診断装置Ｍから送信された医用画像データを蓄積的に記憶するデータテーブルである。
【００５１】
図５（ｂ）は、メモリ１３のデータ構成の一例を示す図である。同図（ｂ）によれば、メモリ１３は、コントローラ入力情報１３０、出力装置設定情報テーブル１３２、画像出力サイズ１３４、患者情報設定項目１３６、患者情報１３８、１コマ画像領域サイズ１４０及びテンプレートデータ１４２を記憶している。
【００５２】
コントローラ入力情報１３０は、フォーマット情報１３０ａ及び画像送信先１３０ｂを有して構成される。ＣＰＵ１１は、コントローラＣにおいてユーザに入力設定されたフォーマット情報と、画像送信先とをシリアルＩ／Ｆ１９を介して取得して、メモリ１３に記憶する。
【００５３】
出力装置設定情報テーブル１３２は、図６のデータ構成の一例に示すようにフィルム出力装置毎の最大出力サイズ１３２−１と、１ピクセルサイズ１３２−２とを対応付けて記憶するデータテーブルである。取得手段を実現するＣＰＵ１１は、通信装置１５を介してフィルム出力装置Ｆ１，Ｆ２及びＦ３とそれぞれ通信して、各装置から最大出力サイズと、１ピクセルサイズとを取得して、フィルム出力装置毎に対応付けて出力装置設定情報テーブル１３２に記憶する。
【００５４】
例えば、フィルム出力装置Ｆ１に対応する最大出力サイズは、図３（ａ）に示す画像形成可能領域ＡＲ１の縦辺及び横辺の長さを表し、フィルム出力装置Ｆ２の画像形成可能領域ＡＲ２は同図（ｂ）、フィルム出力装置Ｆ３の画像形成可能領域ＡＲ３は同図（ｃ）の縦辺及び横辺の長さをそれぞれ表す。
【００５５】
決定手段を実現するＣＰＵ１１は、出力装置設定情報テーブル１３２に記憶された最大出力サイズ１３２−１を用いて画像出力サイズ１３４（画像形成サイズ）を決定する。画像出力サイズ１３４とは、フィルム出力装置に画像形成させる領域の大きさであり、縦辺１３４ａ及び横辺１３４ｂのピクセル数により表される。ＣＰＵ１１は、出力装置設定情報テーブル１３２に記憶された最大出力サイズ１３２−１の縦辺及び横辺の中から、最小の縦辺及び横辺をそれぞれ選択して画像出力サイズ１３４として決定する。このため、画像出力サイズ１３４は、フィルム出力装置Ｆ１〜Ｆ３何れの画像形成可能領域をとっても、当該画像形成可能領域内に収まる大きさとなる。
【００５６】
患者情報設定項目１３６は、フィルムに描画する患者情報の項目の種類や、その描画順序、行数等、患者情報の描画に関する設定情報である。ＣＰＵ１１は、例えば、ＩＤ番号や氏名といった患者情報の項目の出力順序や、画像出力サイズ１３４の横辺１３４ｂに応じて改行した際の行数を患者情報設定項目１３６として決定する。尚、この患者情報設定項目１３６は、コントローラＣにおいてユーザにより設定されて、フォーマット情報等と共に転送されることとしてもよい。
【００５７】
患者情報１３８は、医用画像テーブル３２に記憶されている医用画像データ中に含まれる患者情報であり、文字認識をＯＣＲやパターン認識等によって取得される。尚、患者情報１３８の取得方法は、例えば、医用画像データからＩＤ番号を取得して、そのＩＤ番号をＨＩＳ（Hospital Information System；病院情報システム）やＲＩＳ（Radiology Information System；放射線情報科情報システム）上のサーバに照会して、当該サーバから他の患者情報の項目を得るようにしてもよい。
【００５８】
１コマ画像領域サイズ１４０は、医用画像データに基づく医用画像１コマをフィルム上に画像形成する領域の大きさであり、縦辺１４０ａ及び横辺１４０ｂのピクセル数により表される。ここで、１コマ画像領域サイズ１４０の算出方法について図７のテンプレートデータ１４２を表す図を参照しつつ簡単に説明すると、次ぎのようになる。
【００５９】
先ず、コントローラ入力情報１３０の画像送信先１３０ｂで表されるフィルム出力装置に対応する１ピクセルサイズ１３２−２を出力装置設定情報テーブル１３２の中から選択する。そして、その選択した１ピクセルサイズを用いて、ピクセル数の画像間隔ＳＰと、トリム幅Ｗと、文字サイズＣＳ（縦）、文字描画領域ＡＲ２０とを式（１）〜（５）を用いて算出する。尚、画像間隔、トリム幅、文字サイズ及び文字行数はユーザの初期設定により実寸値（長さ）が与えられているものとする。
【００６０】
画像間隔ＳＰ＝画像間隔［実寸値］÷１ピクセルサイズ          ・・・（１）
トリム幅Ｗ＝トリム幅［実寸値］÷１ピクセルサイズ            ・・・（２）
文字サイズＣＳ（縦）＝文字サイズ［実寸値］÷１ピクセルサイズ・・・（３）
文字描画領域ＡＲ２０（横）
＝画像出力サイズ（横）１３４ｂ［ピクセル数］            ・・・（４）
文字描画領域ＡＲ２０（縦）
＝文字サイズＣＳ（縦）［ピクセル数］×文字行数          ・・・（５）
【００６１】
そして、医用画像を描画する領域である画像描画領域ＡＲ１０を式（６）及び（７）を用いて算出する。
画像描画領域ＡＲ１０（横）
＝画像出力サイズ（横）１３４ｂ−（（トリム幅Ｗ×２×横コマ数）
＋（画像間隔ＳＰ×（横コマ数−１））  ・・・（６）
画像描画領域ＡＲ１０（縦）
＝画像出力サイズ（縦）１３４ａ−（トリム幅Ｗ×２×縦コマ数）
＋（画像間隔ＳＰ×（縦コマ数−１））−文字描画領域ＡＲ２０（縦）・・（７）
【００６２】
ＣＰＵ１１は、画像描画領域ＡＲ１０及び文字描画領域ＡＲ２０とを算出した後、１コマ画像領域サイズ１４０を式（８）及び（９）を用いて算出する。
１コマ画像領域サイズ（縦）１４０ａ
＝画像描画領域ＡＲ１０（縦）÷縦コマ数・・・（８）
１コマ画像領域サイズ（横）１４０ｂ
＝画像描画領域ＡＲ１０（横）÷横コマ数・・・（９）
【００６３】
テンプレートデータ１４２は、医用画像データ及び患者情報１３８の画像データをフォーマットして合成した一の画像データである。ＣＰＵ１１は、１コマ画像領域サイズ１４０を算出した後、医用画像テーブル３２に記憶された医用画像データを、当該１コマ画像領域サイズ１４０に合わせて拡大又は縮小する画像加工を行う。そして、患者情報１３８の文字データをフォーマット情報１３０ａに従ったフォント及び文字サイズの画像データに変換する。
【００６４】
ＣＰＵ１１は、拡大又は縮小後の医用画像データを画像描画領域ＡＲ１０に、画像データの患者情報を文字描画領域ＡＲ２０に埋め込んで配置し、図７のようなテンプレートデータ１４２をＤＩＣＯＭ規格に準拠した画像データで作成する。従って、テンプレートデータ１４２は、画像出力サイズ１３４の縦辺１３４ａ×横辺１３４ｂの寸法で作成される。
【００６５】
次に、図８のフローチャートを用いて、医用画像出力システム１００の具体的な動作を説明する。先ず、変換装置ＧのＣＰＵ１１は、第１医用画像転送処理を開始すると、各フィルム出力装置Ｆ１，Ｆ２及びＦ３から最大出力サイズと１ピクセルサイズとを取得して、出力装置設定情報テーブル１３２にフィルム出力装置毎に対応付けて記憶する（ステップＳ１）。
【００６６】
フィルム出力装置側では、各フィルム出力装置がそれぞれの最大出力サイズ５２と、１ピクセルサイズ５４とを送信する（ステップＳ１０１）。
【００６７】
そして、出力装置設定情報テーブル１３２内の最大出力サイズ１３２−１をもとに画像出力サイズ１３４を決定した後（ステップＳ３）、診断装置Ｍから送信される医用画像データを受信して、医用画像テーブル３２に蓄積記憶する（ステップＳ５）。
【００６８】
ＣＰＵ１１は、医用画像テーブル３２に記憶している医用画像データから患者情報１３８を文字認識して取得し（ステップＳ７）、コントローラＣからフォーマット情報及び画像送信先を受信して、コントローラ入力情報１３０としてメモリ１３に記憶する（ステップＳ９）。次いで、上述した算出方法に従って１コマ画像領域サイズ１４０を算出し（ステップＳ１１）、医用画像テーブル３２内の医用画像データを１コマ画像領域サイズ１４０に合わせて拡大又は縮小（拡縮）する（ステップＳ１３）。これにより、拡大又は縮小手段が実現される。
【００６９】
そして、ステップＳ７において取得した患者情報１３８を画像データに変換して（ステップＳ１５）、その画像変換後の患者情報と、拡縮後の医用画像データとを図７のようなテンプレートデータ１４２内に埋め込むことで、そのテンプレートデータ１４２を作成する（ステップＳ１７）。転送手段を実現するＣＰＵ１１は、画像送信先１３０ｂで示されるフィルム出力装置へテンプレートデータ１４２を画像出力サイズ５６と共に転送した後に（ステップＳ１９）、第１医用画像転送処理を終了する。
【００７０】
一方、フィルム出力装置は、ステップＳ１０１の処理後、変換装置Ｇから転送されるテンプレートデータ及び画像出力サイズを受信する（ステップＳ１０３）。そして、そのテンプレートデータ１４２に基づく画像を受信画像出力サイズ５６に合わせて調整してフィルムの中央に画像形成して出力する（ステップＳ１０５）。尚、この画像の大きさの調整は、受信画像出力サイズ５６の縦辺又は横辺の何れかの１辺を基準としてもよいし、２辺に合わせることとしてもよい。
【００７１】
図９は、フィルム出力装置Ｆ１，Ｆ２及びＦ３それぞれが出力したフィルムの概観の一例を示す図である。フィルム出力装置Ｆ１は、同図（ａ）のフィルムＦＬ１を出力する。変換装置Ｇが送信したテンプレートで１４２は、各フィルム出力装置の最大出力サイズ５２をもとに決定した画像出力サイズ１３４に従った大きさであるから、フィルムＦＬ１上には、画像出力サイズ１３４の大きさの医用画像ＦＧが中央に描画される。また、フィルムＦＬ２及びＦＬ３にも、画像出力サイズ１３４の大きさの医用画像ＦＧが描画される（同図（ｂ）及び（ｃ）参照）。同図に示すように、各フィルムに描画された個々の医用画像の大きさは全て同じ大きさに統一され、また、患者情報の大きさも同じ大きさとなる。
【００７２】
以上、第１実施形態によれば、変換装置は、各フィルム出力装置が保持している最大出力サイズを取得し、その最大出力サイズを元に画像出力サイズ１３４を決定する。この画像出力サイズは、各フィルム出力装置の最大出力サイズ５２の最小の縦辺及び横辺を選択したものである。このため、各フィルム出力装置は、それぞれの異なる画像形成可能領域内に同じ大きさで医用画像を画像形成することができる。従って、フィルム出力装置のバージョンやシリーズに関わらず、フィルム上に描画された医用画像の大きさは同じであるため、異なるフィルム出力装置から出力されたフィルム間での比較診断が容易になる。また、その比較診断において医師の診断ミスを防止することができる。
【００７３】
また、テンプレートデータ１４２内に埋め込んだ画像データの患者情報も同一のフォント及び文字サイズでフィルム上に画像形成される。従った、異なるフィルム出力装置から出力されたフィルムを重ねた際に、同一の患者の患者情報であれば、その患者情報はずれずに重なるため、他の患者のフィルムの混入を容易に確認することができる。
【００７４】
〔第２実施形態〕
次に、第２実施形態について、図１０〜図１３を用いて説明する。尚、以下の説明において、上述した第１実施形態における医用画像出力システム１００と同一の構成には、同一の符号を付してその説明を省略する。
【００７５】
〔変換装置の構成〕
図１０（ａ）は、第２実施形態における記憶装置３のデータ構成の一例を示す図である。同図によれば、記憶装置３は、第２医用画像転送プログラム３４と、医用画像テーブル３２とを記憶している。第２医用画像転送プログラム３４は、第２実施形態の係る第２医用画像転送処理（図１３参照）を実現するためのプログラムである。
【００７６】
図１０（ｂ）は、第２実施形態におけるメモリ１３のデータ構成の一例を示す図である。同図によれば、メモリ１３は、コントローラ入力情報１３０、出力装置設定情報テーブル１３２、画像出力サイズ１３４、患者情報設定項目１３６、患者情報１３８、１コマ画像領域サイズ１４０、受信画像サイズ１４４、送信画像サイズ１４６、拡縮比率１４８及び実寸テンプレートデータ１４９を記憶している。
【００７７】
受信画像サイズ１４４は、診断装置Ｍから受信した医用画像データ、即ち、医用画像テーブル３２に記憶された医用画像データの画像サイズ（ピクセル数）である。ＣＰＵ１１は、医用画像データの受信時に、例えば、当該データに含まれるヘッダ情報から受信画像サイズ１４４を取得したり、当該データのデータ容量から受信画像サイズ１４４を算出したりする。
【００７８】
送信画像サイズ１４６は、フィルム出力装置へ転送する実寸テンプレートデータ１４９内の医用画像データの画像サイズ（ピクセル数）である。図１１のように、受信画像サイズ１４４の横辺をｘ１、縦辺をｙ１、送信画像サイズ１４６の横辺をｘ２、縦辺をｙ２とした場合に、ＣＰＵ１１は、式（１０）〜（１１）を用いて送信画像サイズ１４６のピクセル数を算出する。
【００７９】
送信画像サイズ（横）［ｘ２］＝受信画像サイズ（横）［ｘ１］・・・（１０）
送信画像サイズ（縦）［ｙ２］
＝１コマ画像領域サイズ（縦）［１４０ａ］×送信画像サイズ（横）［ｘ２］
÷１コマ画像領域サイズ（横）［１４０ｂ］・・・（１１）
即ち、送信画像サイズ１４６の横辺を受信画像サイズ１４４の横辺に固定して、送信画像サイズ１４６の縦横比が１コマ画像領域サイズ１４０の縦横比となるように当該送信画像サイズ１４６を算出する。
【００８０】
拡縮比率１４８は、１コマ画像領域サイズ１４０の縦横比に合わせて医用画像データを調整するための比率である。ＣＰＵ１１は、式（１２）を用いて、受信画像サイズ１４４と送信画像サイズ１４６とから拡縮比率１４８を算出する。
拡縮比率１４８＝送信画像サイズ（縦）［ｙ２］
÷１コマ画像領域サイズ（横）［１４０ｂ］・・・（１２）
【００８１】
実寸テンプレートデータ１４９は、受信した医用画像データと、画像データの患者情報１３８とを略実寸のまま埋め込んで合成した画像データである。ＣＰＵ１１は、上述した式（１）〜（３）で算出した画像間隔ＳＰ、トリム幅Ｗ、文字サイズＣＳを再計算し、これらのデータを用いて実寸テンプレートデータ１４９を作成する。より具体的には、次のような処理を行う。
【００８２】
先ず、式（１３）〜（１５）を計算する。
画像間隔ＳＰ＝画像間隔［実寸値］×拡縮比率１４８          ・・・（１３）
トリム幅Ｗ＝トリム幅［実寸値］×拡縮比率１４８            ・・・（１４）
文字サイズＣＳ（縦）＝文字サイズ［実寸値］×拡縮比率１４８・・・（１５）
【００８３】
上述した第１実施形態では、画像間隔、トリム幅及び文字サイズのピクセル数を算出していたが、変形例では、拡縮比率１４８に基づいて調整した画像間隔、トリム幅及び文字サイズの実寸値（長さ）を算出することとなる。尚、画像間隔ＳＰ及びトリム幅Ｗが“１ｃｍ”よりも小さくなってしまった場合は、固定的に“１ｃｍ”に設定してもよい。
【００８４】
次に、式（１６）及び（１７）を用いて、文字描画領域ＡＲ２０の実寸値を算出する。
文字描画領域ＡＲ２０（縦）
＝文字サイズ（高さ）［実寸値］×文字行数          ・・・（１６）
文字描画領域ＡＲ２０（横）＝画像出力サイズ（横）１３４ｂ・・・（１７）
【００８５】
続いて、式（１８）〜（２０）を用いて、文字描画領域ＡＲ２０の各行に描画可能な文字数（出力可能文字数）と、実寸テンプレートデータ１４９の実寸値の寸法（実寸テンプレートサイズ）とを算出する。
【００８６】
出力可能文字数＝文字描画領域ＡＲ２０（横）÷文字サイズ（幅）・・・（１８）
実寸テンプレートサイズ（横）
＝（１コマ画像領域サイズ（横）１４０ｂ×横コマ数）
＋（トリム幅Ｗ×２×横コマ数）
＋（画像間隔ＳＰ×（横コマ数−１））    ・・・（１９）
実寸テンプレートサイズ（縦）
＝（１コマ画像領域サイズ（縦）１４０ａ×縦コマ数）
＋（トリム幅Ｗ×２×縦コマ数）
＋（画像間隔ＳＰ×（縦コマ数−１））
＋文字描画領域ＡＲ２０（縦）            ・・・（２０）
【００８７】
ＣＰＵ１１は、この実寸テンプレートサイズの寸法で実寸テンプレートデータ１４９の大きさを設定し、受信した医用画像データと画像データの患者情報１３８とを、当該実寸テンプレートデータ１４９内に埋め込む。
【００８８】
次に、図１２のフローチャートを用いて、第２実施形態における医用画像出力システム１００の具体的な動作を説明する。尚、上述した図８のフローチャートと同一の処理ステップには、同一の符号を付してその詳細な説明は省略する。
【００８９】
先ず、変換装置ＧのＣＰＵ１１は、第２医用画像転送処理を開始すると、各フィルム出力装置からの最大出力サイズ及び１ピクセルサイズの取得と、画像出力サイズ１３４の決定とを行う（ステップＳ１〜Ｓ３）。
【００９０】
そして、決定した画像出力サイズ１３４をフィルム出力装置Ｆ１，Ｆ２及びＦ３のそれぞれに送信し（ステップＳ４）、上述した第１医用画像転送処理と同様にステップＳ５〜Ｓ１１の処理を行う（ステップＳ５〜Ｓ１１）。尚、ステップＳ４の処理により送信手段が実現される。
【００９１】
ＣＰＵ１１は、上述した算出方法で拡縮比率１４８を算出し（ステップＳ２１）、当該拡縮比率１４８を用いて、実寸テンプレートデータ１４９を作成する（ステップＳ２３）。続いて、送信画像サイズ１４６に合わせて医用画像データを調整し、画像データに変換した患者情報１３８と共に、実寸テンプレートデータ１４９内に埋め込む（ステップＳ２７）。そして、ＣＰＵ１１は、実寸テンプレートデータ１４９を画像送信先１３０ｂで示されるフィルム出力装置に送信した後に、第２医用画像転送処理を終了する。
【００９２】
一方、フィルム出力装置は、変換装置Ｇの要求に応じて、最大出力サイズ５２及び１ピクセルサイズ５４を送信した後（ステップＳ１０１）、変換装置Ｇから送信される画像出力サイズを受信して、受信画像出力サイズ５６として記憶部５０に記憶する（ステップＳ１１１）。このとき、フィルム出力装置は受信手段を実現する。
【００９３】
そして、変換装置Ｇから送信される実寸テンプレートデータ１４９を受信した後（ステップＳ１１３）、その実寸テンプレートデータ１４９を受信画像出力サイズ５６に合わせて拡大又は縮小して（ステップＳ１１５）、当該データに基づく画像をフィルムの中央に画像形成して出力する（ステップＳ１１７）。尚、第２実施形態では、拡大又は縮小手段を、フィルム出力装置側で実現することとなる。また、ステップＳ１１７の処理により画像形成手段が実現される。
【００９４】
以上、第２実施形態によれば、変換装置Ｇが送信する実寸テンプレートデータ１４９内の医用画像データは、上述した第１実施形態のように画像出力サイズ１３４に基づいて拡大したものではなく、受信した医用画像データの大きさを基準にその縦横比を調整したものである。従って、変換装置Ｇがフィルム出力装置へ送信するデータ容量を削減できる。
【００９５】
また、一般にＤＩＣＯＭ規格に基づいたフィルム出力装置であれば、画像データの拡大及び縮小の処理機能を搭載しているから、フィルム出力装置で医用画像データの拡大又は縮小を行うことで、医用画像出力システム１００のシステム全体の処理速度を向上させることができる。
【００９６】
また、フィルム出力装置側で画像出力サイズに合わせた大きさの医用画像や患者情報をフィルム上に画像形成する。これにより、異なるフィルム出力装置でも同じ大きさの医用画像や患者情報が出力されるため、上述した第１実施形態と同様の効果を得ることができる。
【００９７】
尚、本実施形態において、画像出力サイズを各フィルム出力装置の最大出力サイズを元に決定することしたが、例えば、ユーザがコントローラＣを操作して画像出力サイズを指定することとしてもよい。また、第２実施形態の場合は、フィルム出力装置側で当該指定を行うこととしてもよい。但し、指定された画像出力サイズが、各フィルム出力装置の画像出力サイズよりも大きかった場合は、ユーザにその旨を通知して、再度画像出力サイズの指定を促す処理を行う必要がある。
【００９８】
また、テンプレートデータ１４２や実寸テンプレートデータ１４９に基づく画像を、フィルムの中央に画像形成することとしたが、例えば、フィルムの上端又は下端から固定値（例えば、２ｃｍ）の余白を取って医用画像を画像形成することとしてもよく、この場合、当該余白のある上端又は下端を合わせて当該フィルムを重ねたときに患者情報や医用画像がずれない。
【００９９】
また、フィルム出力装置が画像形成するフィルムの大きさ（フィルムサイズ）は適宜変更であり、そのフィルムサイズに応じて画像出力サイズを決定してもよい。より具体的には、図１３に示すようなデータ構成の出力装置設定情報テーブル１３３をメモリ１３に格納する。同図によれば、出力装置設定情報テーブル１３３は、“Ａ４”又は“Ｂ４”といったフィルムサイズと、最大出力サイズと、１ピクセルサイズとを対応付けて格納している。また、フィルムサイズに、当該フィルムサイズに対する最大出力サイズが個々に対応付けられている。
【０１００】
ＣＰＵ１１は、各フィルム出力装置からフィルムサイズ毎の最大出力サイズと、１ピクセルサイズとを取得する。そして、ユーザのコントローラＣの操作により指定されたフィルムサイズに対応する最大出力サイズをフィルム出力装置毎に選択して、その選択した最大出力サイズを用いて画像出力サイズ１３４を決定する。これにより、指定されたフィルム毎に医用画像及び患者情報の大きさが同じになるようになる。尚、フィルムサイズの指定は、診断装置Ｍで行うこととしても無論よい。
【図面の簡単な説明】
【０１０１】
【図１】本発明を適用した医用画像出力システムのシステム構成の一例を示す図。
【図２】第１実施形態におけるフィルム出力装置の記憶部のデータ構成の一例を示す図。
【図３】フィルム出力装置毎の画像形成可能領域を説明するための図。
【図４】変換装置の機能構成の一例を示す図。
【図５】第１実施形態における変換装置の（ａ）は記憶装置のデータ構成の一例を示す図、（ｂ）はメモリのデータ構成の一例を示す図。
【図６】出力装置設定情報テーブルのテーブル構成の一例を示す図。
【図７】テンプレートデータを説明するための図。
【図８】第１実施形態における医用画像出力システムの具体的な動作を説明するためのフローチャート。
【図９】各フィルム出力装置が出力したフィルムの概観の一例を示す図。
【図１０】第２実施形態における変換装置の（ａ）は記憶装置のデータ構成の一例を示す図、（ｂ）はメモリのデータ構成の一例を示す図。
【図１１】１コマ画像領域サイズ、受信画像サイズ及び送信画像サイズそれぞれを説明するための図。
【図１２】第２実施形態における医用画像出力システムの具体的な動作を説明するためのフローチャート。
【図１３】変形例における出力装置設定情報テーブルのテーブル構成の一例を示す図。
【図１４】医用画像の一例を示す図。
【図１５】従来の各フィルム出力装置が出力したフィルムの概観の一例を示す図。
【符号の説明】
【０１０２】
１００    医用画像出力システム
Ｍ      診断装置
Ｃ      コントローラ
Ｇ      変換装置
１      制御部
１１      ＣＰＵ
１３      メモリ
１３２      出力装置設定情報テーブル
１３４      画像出力サイズ
１３８      患者情報
１４２      テンプレートデータ
３      記憶装置
３２      医用画像テーブル
５      入力Ｉ／Ｆ部
７      電源部
Ｆ１，Ｆ２，Ｆ３    フィルム出力装置
５０      記憶部
５２      最大出力サイズ
ＡＲ１，ＡＲ２，ＡＲ３    画像形成可能領域
【図１】
2006187419.tif 000003
【図２】
2006187419.tif 000004
【図３】
2006187419.tif 000005
【図４】
2006187419.tif 000006
【図５】
2006187419.tif 000007
【図６】
2006187419.tif 000008
【図７】
2006187419.tif 000009
【図８】
2006187419.tif 000010
【図９】
2006187419.tif 000011
【図１０】
2006187419.tif 000012
【図１１】
2006187419.tif 000013
【図１２】
2006187419.tif 000014
【図１３】
2006187419.tif 000015
【図１４】
2006187419.tif 000016
【図１５】
2006187419.tif 000017